(57)【特許請求の範囲】
【請求項１】
棒状の本体部、本体部の一端部に鍔部、他端部にアンダーカット部を有する射出成形用金型のランナーロックピンであって、前記アンダーカット部の軸上に沿った断面形状を前記軸に対称に形成し、かつ、前記アンダーカット部の外周上の任意の異なる点から前記軸に向かって見た前記断面形状の面積を互いに異なる部分があるように形成したことを特徴とするランナーロックピン。
【発明の詳細な説明】
【技術分野】
【０００１】
本発明は、ピンゲートやトンネルゲート等が形成された射出成形用金型に設置されるランナーロックピンに関するものである。
【背景技術】
【０００２】
射出成形においてピンゲートやトンネルゲート等の場合には型開き時に製品部とランナー部を切り離す必要があり、そのためにランナーロックピンを使用する場合が多い。ランナーロックピンは製品によりランナー部を切り離す力が変わってくるため、アンダーカット部の大きさを変えてランナーロック力を調整する必要があった。しかし、従来のアンダーカット部は径方向の断面が円形をしており、アンダーカット部の大きさが周方向に均一であるため、アンダーカット部を大きくし過ぎるとアンダーカット部に樹脂が巻き付いて残り、アンダーカット部の効果が損なわれるばかりでなく、連続成形が困難になる問題があった。この問題を解決するため、特許文献１にはアンダーカット部の切り込み深さを小さくしてアンダーカット部に樹脂を残り難くし、複数のアンダーカット部を設けて従来のランナーロック力を維持でき、生産性を向上させたランナーロックピンが記載されている。
【特許文献１】特開平１１−５２３４号公報
【発明の開示】
【発明が解決しようとする課題】
【０００３】
しかしながら、アンダーカット部を複数形成するとランナー部において不要な樹脂が増えるばかりでなく、流動抵抗が大きくなるなど様々な問題を生じる恐れがあった。本発明は上記問題に鑑み、ランナーロックピンのアンダーカット部の周方向におけるアンダーカット部の大きさを変化させることで流動抵抗および不要な樹脂を最小限に抑えることができ、また、アンダーカット部に樹脂が残り難くすることできることを知見し、本発明を完成するに至ったものである。
【課題を解決するための手段】
【０００４】
本発明は棒状の本体部、本体部の一端部に鍔部、他端部にアンダーカット部を有する射出成形用金型のランナーロックピンであって、前記アンダーカット部の軸上に沿った断面形状を前記軸に対称に形成し、かつ、前記アンダーカット部の外周上の任意の異なる点から前記軸に向かって見た前記断面形状の面積を互いに異なる部分があるように形成している（請求項１）。
【０００５】
本発明のランナーロックピンはアンダーカット部の軸上に沿った断面形状を軸に対称に形成し、かつ、アンダーカット部の外周上の任意の異なる点から軸に向かって見た断面形状の面積が互いに異なる部分があるように形成する事で、断面形状の面積の小さい部分と大きい部分が形成され、ランナーロックピンからランナー部を無理抜きする際、断面積の小さい部分、すなわち、アンダーカット部の小さい部分では、ランナー部が抜け易くなる。一部分が抜けることで、従来のようにランナーロックピンのアンダーカット部に破断した樹脂がリング状に巻きついたまま残らなくなり、断面積の大きい部分においても、例え無理抜きでアンダーカット部の樹脂が破断しても、そのままランナーロックピンに残り難くなる。
【０００６】
アンダーカット部の断面形状の面積はランナーロック力と比例関係にあることから、断面形状の面積の大きい部分を設けることでランナーロック力を大きくすることができ、ランナーロック力を容易に調整することができる。
【発明の効果】
【０００７】
本発明によれば、ランナー部において流動抵抗および不要な樹脂を最小限に抑え、アンダーカット部に樹脂が残り難くすることができ、生産性を向上でき、さらには、ランナーロック力を容易に調整することができる。
【発明を実施するための最良の形態】
【０００８】
以下、本発明のランナーロックピンについて実施例を参照して説明する。
【実施例】
【０００９】
図１は本発明のランナーロックピンの斜視図である。ランナーロックピン１は鍔部１１、本体部１２、テーパー部１３で構成されている。本体部１２に対してテーパー部１３は外周にアンダーカット部１４を形成するように形成されている。鍔部１１、本体部１２、アンダーカット部１４を形成するテーパー部１３の各々の軸芯は軸１５上に形成されている。
【００１０】
図２は図１の正面図である。鍔部１１は本体部１２より大きい円形状に形成されている。本体部１２はテーパー部１３より大きい円形状に形成されている。テーパー部１３は長円形状に形成され、長軸の両端部がほぼ半円形状で長手方向の両側縁に直線部１３ａが形成されている。Ａ−Ａ矢視線はＢ−Ｂ矢視線と軸１５上で直交されている。
【００１１】
図３は図２のＡ−Ａ矢視断面図である。テーパー部１３の外周にはアンダーカット部１４ａ，１４ａが形成されている。アンダーカット部１４ａ，１４ａの形状は軸１５に対して対称に形成されている。
【００１２】
図４は図２のＢ−Ｂ矢視断面図である。テーパー部１３の外周にはアンダーカット部１４ｂ，１４ｂが形成されている。アンダーカット部１４ｂ，１４ｂの形状は軸１５に対して対称に形成されている。アンダーカット部１４ｂ，１４ｂは図２のアンダーカット部１４ａ，１４ａの断面形状の面積より小さく形成されている。
【００１３】
図５は図１のランナーロックピンを設置した金型の一部断面図である。ランナーロックピン１は押え部材２１で押えられている。取付板２２とストッパープレート２３に形成された挿通部２５に挿通されている。ランナープレート２４に形成されたランナー部２にテーパー部１３が設置されている。ランナー部２には樹脂が充填されている。
【００１４】
本発明のランナーロックピンはアンダーカット部の断面形状が軸を対称に形成され、かつ、アンダーカット部の外周上の任意の異なる点から軸に向かって見た断面形状の面積が互いに異なる部分があるように形成されればよく、アンダーカット部の形状は実施例に限定されない。例えば、図６の（ａ）、（ｂ）、（ｃ）に示すランナーロックピン１ａのような形状であってもよい。また、実施例ではアンダーカット部を形成するテーパー部の軸芯を本体部および鍔部と同一軸上に形成しているが、テーパー部は本体部に対してアンダーカット部を形成するように設置されればよく、同一軸上に形成されなくてもよい。
【図面の簡単な説明】
【００１５】
【図１】本発明のランナーロックピンの斜視図である。
【図２】図１の正面図である。
【図３】図２のＡ−Ａ矢視断面図である。
【図４】図２のＢ−Ｂ矢視断面図である。
【図５】図１のランナーロックピンを設置した金型の一部断面図である。
【図６】本発明のランナーロックピンの他の実施例の斜視図である。
【符号の説明】
【００１６】
１，１ａ  ランナーロックピン
２  ランナー部
１１  鍔部
１２  本体部
１３  テーパー部
１３ａ  直線部
１４，１４ａ，１４ｂ  アンダーカット部
１５  軸
２１  押え部材
２２  取付板
２３  ストッパープレート
２４  ランナープレート
２５  挿通部
【図１】
0004813940.tif 000002
【図２】
0004813940.tif 000003
【図３】
0004813940.tif 000004
【図４】
0004813940.tif 000005
【図５】
0004813940.tif 000006
【図６】
0004813940.tif 000007